(57)【要約】【課題】仰臥した利用者に不快感を与えることなく、身体を左右方向にローリングさせることができる寝装用マットを提供することにある。【解決手段】流体によって加圧されることで長手方向一端が他端に比べて高くなるよう膨張する袋状に形成されていて、外装体内に幅方向に沿って配置され、幅方向と交差する方向に並設された複数の第１の流体バッグ６と、第１の流体バッグと同様の袋状であって、外装体内に第１の流体バッグと重なり合う状態で、膨張時に高さが高くなる長手方向の一端を第１の流体バッグの長手方向の一端と逆向きにして外装体の幅方向と交差する方向に沿って並設された複数の第２の流体バッグ７と、第１の流体バッグに流体を供給・排出する第１の供給チューブ１４と、第２の流体バッグに流体を供給・排出する第２の供給チューブ１７と、第１の流体バッグと第２の流体バックに対する流体の供給・排出を制御する制御装置１２を具備する。【選択図】図３
2014121442.tif 000002
【特許請求の範囲】
【請求項１】
袋状の外装体と、
流体によって加圧されることで長手方向一端が他端に比べて高さが高くなるよう膨張する袋状に形成されていて、上記外装体内に幅方向に沿って配置されるとともに、幅方向と交差する方向に沿って並設された複数の第１の流体バッグと、
流体によって加圧されることで長手方向一端が他端に比べて高さが高くなるよう膨張する袋状であって、上記外装体内に上記第１の流体バッグと重なり合う状態で、しかも膨張時に高さが高くなる長手方向の一端を上記第１の流体バッグの長手方向の一端と逆向きにして上記外装体の上記幅方向と交差する方向に沿って並設された複数の第２の流体バッグと、
上記第１の流体バッグに流体を供給・排出する第１の流体給排手段と、
上記第２の流体バッグに流体を供給・排出する第２の流体給排手段と、
上記第１の流体バッグと第２の流体バックに対する流体の供給・排出を制御する制御手段と
を具備したことを特徴とする寝装用マット。
【請求項２】
上記第１の流体バッグと上記第２の流体バッグは、平面形状が上記外装体の幅方向に沿って長い台形状又は細長い三角形状であることを特徴とする請求項１記載の寝装用マット。
【請求項３】
上記第１の流体バッグと上記第２の流体バッグは、平面形状が上記外装体の幅方向に沿って長い長方形状であることを特徴とする請求項１記載の寝装用マット。
【請求項４】
上記制御手段は、上記第１の流体バッグと第２の流体バックに対する流体の供給・排出を所定時間ごとに交互に制御することを特徴とする請求項１記載の寝装用マット。
【請求項５】
上記外装体には、この外装体上に仰臥した利用者の体動を検出するセンサが設けられ、上記第１の流体バッグと第２の流体バックに対する流体の供給・排出は、上記センサによる体動の検出に基づいて制御手段によって制御されることを特徴とする請求項１記載の寝装用マット。
【請求項６】
上記第１の流体バッグと第２の流体バックは、互いに連通して形成された下部空間部及び上部空間部の上下二重構造となっていることを特徴とする請求項１記載の寝装用マット。
【請求項７】
上記第１の流体バッグと第２の流体バックは、上記外装体上に仰臥する利用者の上半身に対応する部分に設けられていることを特徴とする請求項１記載の寝装用マット。
【発明の詳細な説明】
【技術分野】
【０００１】
この発明は利用者の床ずれを防止したり、いびきを軽減して安眠を得るためなどに利用できる寝装用マットに関する。
【背景技術】
【０００２】
たとえば、病人や老人などの利用者が長期間にわたって病床に臥さなければならない場合、利用者の身体の背面、とくに背部、腰部、或いは臀部などが長期間にわたって圧迫され続けると、その部分の血行が悪化して床ずれ（辱瘡）が生じるということがある。
【０００３】
また、利用者が就寝中にいびきをかいたり、呼吸に乱れが生じるということがあり、そのような場合には睡眠の質が低下して安眠できないということがある。
【０００４】
そこで、長期間にわたって病床に臥さなければならない利用者の床ずれを防止したり、利用者が就寝中にいびきをかいたり、呼吸が乱れたときの安眠を確保するなどのための寝装用マットが開発されている。
【０００５】
利用者の床ずれを防止したり、安眠を確保するための対策の１つとして、就寝中の利用者の身体を左右にローリングさせることで、身体の同じ部分が圧迫され続けるのを防止したり、気道を確保していびきの軽減や呼吸の乱れる防止するということが知られている。
【０００６】
就寝中の利用者の身体をローリングさせるためには、たとえばマットレスなどの寝具上に載置したり、マットレスと一体化するなどして用いられる、寝装用マットが知られている。
【０００７】
従来、利用者の身体をローリングさせることのできる寝装用マットとしては、流体によって加圧されたときにほぼ円錐台形を形成する複数の第１の袋状セルと、第２の袋状セルを、矩形状のセル取付け用シートの幅方向に沿わせてそれぞれの頂上が左右逆向きになるよう配置し、かつ上記セル取付け用シートの長手方向に対して上記第１の袋状セルと第２の袋状セルを交互に並設するようにした構成のものが知られている。
【０００８】
そして、上記第１の袋状セルと上記第２の袋状セルに対して流体を交互に供給・排出することで、上記第１、第２の袋状セルの頂上の部分によって利用者の身体の背面の左右の部分を交互に押し上げることで、上記寝装用マット上に仰臥した利用者の身体を幅方向にローリングさせるようにしている。
【先行技術文献】
【特許文献】
【０００９】
【特許文献１】実開平２−３０３２７号公報
【発明の概要】
【発明が解決しようとする課題】
【００１０】
上記構成によると、上記第１の袋状セルと上記第２の袋状セルは、上記セル取付け用シートの長手方向に対して位置をずらして交互に配置されている。そのため、上記第１の袋状セルを膨張させてその頂部によって利用者の身体の幅方向の一端部を押し上げて身体をたとえば右方向に傾斜させて支持したときと、上記第１の袋状セルを収縮させて上記第２の袋状セルを膨張させ、その頂部によって利用者の身体の幅方向の他端部を押し上げて身体を左方向に傾斜させて支持したときとで、利用者の身体を押し上げるために第１、第２の袋状セルによって押圧する位置が左右において上記セル取付け用シートの長手方向、つまり利用者の身長方向に対してずれることになる。
【００１１】
そのため、上記第１の袋状セルと上記第２の袋状セルの膨張・収縮を交互に繰り返すと、利用者の身体を幅方向にローリングさせることができるものの、身長方向に対する左右の押圧位置が身長方向に異なる。
【００１２】
それによって、利用者が上記第１の袋状セルと上記第２の袋状セルから受ける押圧作用の感覚が異なるから、利用者に違和感や不快感を与えたり、安眠が確保され難くなるということがある。
【００１３】
この発明は、利用者の身体の背面の幅方向一端部と他端部を交互に押圧して身体を幅方向にローリングさせるとき、利用者の身体が左右いずれの方向に傾斜させられるときにも、左右の押圧位置が身長方向に対して異なることがないようにすることで、利用者に違和感や不快感を与えることなく、床ずれの防止、いびきの軽減、或いは安眠の確保ができるようにした寝装用マットを提供することにある。
【課題を解決するための手段】
【００１４】
この発明は、袋状の外装体と、
流体によって加圧されることで長手方向一端が他端に比べて高さが高くなるよう膨張する袋状に形成されていて、上記外装体内に幅方向に沿って配置されるとともに、幅方向と交差する方向に沿って並設された複数の第１の流体バッグと、
流体によって加圧されることで長手方向一端が他端に比べて高さが高くなるよう膨張する袋状であって、上記外装体内に上記第１の流体バッグと重なり合う状態で、しかも膨張時に高さが高くなる長手方向の一端を上記第１の流体バッグの長手方向の一端と逆向きにして上記外装体の上記幅方向と交差する方向に沿って並設された複数の第２の流体バッグと、
上記第１の流体バッグに流体を供給・排出する第１の流体給排手段と、
上記第２の流体バッグに流体を供給・排出する第２の流体給排手段と、
上記第１の流体バッグと第２の流体バックに対する流体の供給・排出を制御する制御手段と
を具備したことを特徴とする寝装用マットにある。
【００１５】
上記第１の流体バッグと上記第２の流体バッグは、平面形状が上記外装体の幅方向に沿って長い台形状であることが好ましい。
【００１６】
上記第１の流体バッグと上記第２の流体バッグは、平面形状が上記外装体の幅方向に沿って長い長方形状であることが好ましい。
【００１７】
上記制御手段は、上記第１の流体バッグと第２の流体バックに対する流体の供給・排出を所定時間ごとに交互に制御することが好ましい。
【００１８】
上記外装体には、この外装体上に仰臥した利用者の体動を検出するセンサが設けられ、上記第１の流体バッグと第２の流体バックに対する流体の供給・排出は、上記センサによる体動の検出に基づいて制御手段によって制御されることが好ましい。
【００１９】
上記第１の流体バッグと第２の流体バックは、互いに連通して形成された下部空間部及び上部空間部の上下二重構造となっていることが好ましい。
【００２０】
上記第１の流体バッグと第２の流体バックは、上記外装体上に仰臥する利用者の上半身に対応する部分に設けられていることが好ましい。
【発明の効果】
【００２１】
この発明によれば、第１の流体バッグと第２の流体バックを、膨張時に高さが高くなる一端を逆向きにし、しかも重ね合わせて外装体内の幅方向に沿わせるとともに、上記幅方向と交差する方向に沿って並設するようにした。
【００２２】
そのため、第１の流体バッグと第２の流体バックを交互に膨張させて利用者の身体を幅方向にローリングさせるとき、左右の押し上げ位置が利用者の身長方向に対してずれることがないから、ローリング時に利用者に違和感や不快感を与えるのを防止することが可能となる。
【図面の簡単な説明】
【００２３】
【図１】この発明の一実施の形態を示す寝装用マットの一部断面した正面図。
【図２】図１に示す寝装用マットの一部断面した平面図。
【図３】第１の流体バッグと第２の流体バッグとに加圧気体を供給・排出する構成を上部シートの下面側から見た図。
【図４】（ａ）は二重構造の第１の流体バッグに加圧気体を供給して膨張させた状態の断面図、（ｂ）は同じく第２の流体バッグに加圧気体を供給して膨張させた状態の断面図。
【図５】この発明の第２の実施の形態を示す第１の流体バッグと第２の流体バッグを上部シートの下面側から見た図。
【図６】この発明の第３の実施の形態を示す第１の流体バッグと第２の流体バッグを上部シートの下面側から見た図。
【発明を実施するための形態】
【００２４】
以下、この発明の実施の形態を図面を参照しながら説明する。
【００２５】
図１乃至図４はこの発明の第１の実施の形態を示し、図１と図２に示す寝装用マットＭは平面形状が矩形状をなした外装体１を備えている。この外装体１は伸縮性を有する布地によって扁平な袋状に形成されていて、その一側を除く三側には図１に示すようにファスナ２が設けられている。それによって、上記外装体１は上記ファスナ２によって開閉可能な構成となっている。
【００２６】
上記外装体１の内部にはウレタンフォームなどによって形成されたクッションシート３が設けられ、このクッションシート３の上面にはフェルトやキャンバスなどの比較的厚手の布地からなるベースシート４が設けられている。
【００２７】
上記ベースシート４の上面の長手方向の約半分の部分には複数の第１の流体バッグ６と第２の流体バッグ７が後述するように設けられている。これら第１、第２の流体バッグ６，７の上面には、図２に示すように周辺部を除く部分に多数の透孔８ａが穿設された樹脂製の上部シート８が設けられている。
【００２８】
図２に示すように、上記第１の流体バッグ６と第２の流体バッグ７は、ビニールなどの気密性を有する樹脂シートによって平面形状が上記ベースシート４の幅方向に沿って長い台形状に形成されていて、後述するように流体である空気を加圧して供給すると、先端側（一端側）から後端側（他端側）に向かって高さ寸法が次第に高くなるよう膨張する袋状に形成されている。
【００２９】
上記第１の流体バッグ６は後端を上記ベースシート４の幅方向一端に位置させ、先端を幅方向他端に位置させて配置されている。
【００３０】
上記第２の流体バッグ７は上記第１の流体バッグ６と逆向き、つまり後端を上記ベースシート４の幅方向他端に位置させ、先端を幅方向他端に位置させ、しかも上記第１の流体バッグ６の上面に重合されて配置されている。
【００３１】
そして、上記ベースシート４の上面には、重ねられた複数組の第１、第２の流体バッグ６，７が長手方向の約半分である、寝装用マットＭ上に仰臥した利用者の上半身に対応する部分に、長手方向に対して隣り合う第１、第２の流体バッグ６，７間に隙間が生じるこのない密な状態で並設されている。つまり、第１、第２の流体バッグ６，７は重合された状態で上記ベースシート４の幅方向に沿って配置されるとともに、図３に示すように長手方向に対して４列で並設されている。
【００３２】
長手方向に対して４列で並設された第１、第２の流体バッグ６，７のうち、上記外装体の長手方向の１一端の１列から３列までの第１、第２の流体バッグ６，７は、図４（ａ），（ｂ）に示すように内部が仕切りシート５ａによって下部空間部６ａ，７ａと上部空間部６ｂ，７ｂに隔別された上下二重構造となっていて、上記仕切りシート５ａには上記下部空間部６ａ，７ａと上部空間部６ｂ，７ｂを連通する連通孔５が形成されている。
【００３３】
なお、図示はしないが、４列目の第１、第２の流体バッグ６，７は１つの空間部だけを有する構造となっていて、後述するように膨張させたとき、１〜３列目の第１、第２の流体バッグ６，７に比べて高さ寸法が低くなるよう構成されている。
【００３４】
つまり、一列〜３列までの第１、第２の流体バッグ６，７は寝装用マットＭ上に仰臥した利用者の上半身の背部に対応する。そのため、利用者の上半身を後述するように左右にローリングさせるとき、左右に対して比較的高く押し上げることができるよう上下二重構造とすることが好ましいが、４列目は利用者の腰部に対応位置するため、ローリング時に背部に比べて高く押し上げることが要求されないから、１つの空間部を有する構造となっている。
【００３５】
なお、４列目の二重構造にしても差し支えなく、また１〜３列目を４列目と同様、１つの空間部だけとしてもよい。
【００３６】
図４（ａ），（ｂ）に示すように、上記外装体１の上下二重構造となった第１、第２の流体バッグ６，７の端部を覆う部分は、山形状に膨張した第１、第２の流体バッグ６，７の先端側に入り込むよう凹状に縫製されている。それによって、第１、第２の流体バッグ６，７が膨張するとき、外装体１が第１、第２の流体バッグ６，７の膨張の抵抗になるのが防止でき、しかも収縮したとき上記外装体１が弛んで寝装用マットＭの外観が損なわれるのが防止できる。
【００３７】
上記ベースシート４上に配置された第１、第２の流体バッグ６，７は上記上部シート８によって覆われていて、これら第１、第２の流体バッグ６，７の後端は図３に示すように上記上部シート８の幅方向一端部と他端部にそれぞれリング９によって連結されている。
【００３８】
それによって、上記上部シート８に対して上記第１、第２の流体バッグ６，７とずれ動くのが規制されている。
【００３９】
図３に示すように、上記上部シート８の一側部には外装体１上に仰臥した利用者のいびきや呼吸の状態を検出する、たとえばマイクロフォンなどのセンサ１１が内蔵されている。このセンサ１１が検出した信号は制御手段としての制御装置１２に出力される。この制御装置１２は上記センサ１１が検出したいびきや呼吸の状態を分析し、その分析に基づいて上記第１、第２の流体バッグ６，７への空気の供給・排出を後述するよう制御するようになっている。
【００４０】
上記第１の流体バッグ６の後端部の下部空間部６ａの下面には、上記ベースシート４を貫通した第１の供給チューブ１４から分岐された複数の第１の分岐チューブ１４ａがそれぞれ接続されている。上記第１の供給チューブ１４は電磁式の第１の給排切換え弁１５を介して加圧気体の供給源としての供給ポンプ１６に接続されている。
【００４１】
上記第２の流体バッグ７の後端部の下部空間部７ａの下面には、上記ベースシート４を貫通した第２の供給チューブ１７から分岐された複数の第２の分岐チューブ１７ａがそれぞれ接続されている。上記第２の供給チューブ１７は電磁式の第２の給排切換え弁１８を介して上記供給ポンプ１６に接続されている。
【００４２】
なお、上記第１チューブ１４は上記第１の流体バッグ６の先端部の下部空間部６ａ或いは上部空間部６ｂに接続するようにしてもよく、また  上記第２チューブ１７は上記第２の流体バッグ７の先端部の下部空間部７ａ或いは上部空間部７ｂに接続するようにしてもよい。
【００４３】
上記第１の給排切換え弁１５と上記第２の給排切換え弁１８は上記制御装置１２からの駆動信号によって交互に開閉駆動されるようになっている。上記第１の給排切換え弁１５が開状態に駆動され、上記第２の給排切換え弁１８が駆動されずに閉の状態にあるときに、上記供給ポンプ１６の加圧空気が上記第１の供給チューブ１４から複数の第１の流体バッグ６に供給され、これら第１の流体バッグ６が図４（ａ）に示すように後端から先端に向かって次第に高さが高くなるよう膨張する。
【００４４】
上記第２の給排切換え弁１８が開状態に駆動され、上記第１の給排切換え弁１５が駆動されずに閉の状態にあるときに、上記供給ポンプ１６の加圧空気が上記第２の供給チューブ１７から複数の第２の流体バッグ７に供給され、これら第２の流体バッグ７が図４（ｂ）に示すように後端から先端に向かって次第に高さが高くなるよう膨張する。
【００４５】
そして、上記第１の給排切換え弁１５と第２の給排切換え弁１８が交互に開閉駆動されることで、寝装用マットＭ上に仰臥した利用者は上半身が左右に交互にローリングされることになる。
【００４６】
上記第１の流体バッグ６或いは第２の流体バッグ７に加圧空気を供給するとき、上記制御装置１２によって各流体バッグ６，７への加圧空気の供給量を、たとえば供給時間などによって制御できるようになっている。
【００４７】
それによって、各流体バッグ６，７の膨張度合を変えることができるから、それによって左右に交互にローリングされるときの利用者の上半身の傾き角度を設定できる。つまり、利用者の体格や状態などの種々の条件に応じて利用者の上半身の傾き角度を変えることができる。
【００４８】
上記制御装置１２は上記センサ１１からの検出信号によって上記第１、第２の給排切換え弁１５，１８を交互に切換える安眠モードと、上記センサ１１の検出信号に係わりなく、上記第１、第２の給排切換え弁１５，１８を所定時間ごとに交互に切換える床ずれ防止モードとのいずれかに設定を選択できるようになっている。
【００４９】
上記安眠モードに設定した場合、上記センサ１１からの検出信号によって寝装用マットＭ上に仰臥した利用者のいびきや呼吸の状態によって利用者が安眠状態あるか否かを判定し、安眠状態にないと判定したときに上記第１の流体バッグ６と第２の流体バッグ７に交互に加圧空気を供給して利用者の身体をローリングさせ、気道を確保することでいびきの低減や呼吸を整えさせて安眠状態を回復させるようになっている。
【００５０】
上記床ずれ防止モードに設定した場合、利用者のいびきや呼吸の状態に係わりなく、上記第１の流体バッグ６と第２の流体バッグ７に加圧気体が所定時間ごとに交互に供給される。つまり、上記第１の流体バッグ６と第２の流体バッグ７の一方に加圧気体が供給されるときには、他方から排出される。それによって、利用者の身体の幅方向一端側と他端側が交互に押し上げられて上半身がローリングさせられるから、背部、腰部或いは臀部の同じ箇所が圧迫され続けて床ずれが発生するのを防止することができる。
【００５１】
上記構成の寝装用マットＭによれば、利用者の上半身を幅方向の一端側に傾ける第１の流体バッグ６と、利用者の上半身を幅方向の他端側に傾ける第２の流体バッグ７を、上下に重ねて配置するようにしている。
【００５２】
そのため、利用者の上半身を幅方向の一端側に傾けるために第１の流体バッグ６を膨張させたときに第１の流体バッグ６によって押圧される身体の背面の位置と、利用者の上半身を幅方向の他端側に傾けるために第２の流体バッグ７を膨張させたときに第２の流体バッグ７によって押圧される身体の背面の位置とは、幅方向においては左右に異なるものの、身長方向であり、寝装用マットＭの長手方向に対しては同じ位置となる。
【００５３】
つまり、利用者は上半身が左右交互にローリングされるとき、それぞれ複数組の第１の流体バッグ６と第２の流体バッグ７によって身長方向の同じ位置が押圧されるから、ローリング時に身体の左右の身長方向の異なる位置が押圧される違和感や不快感を利用者に与えるのを防止することができる。
【００５４】
しかも、第１の流体バッグ６と第２の流体バッグ７を重合させたので、重合された複数の第１の流体バッグ６と第２の流体バッグ７をそれぞれ寝装用マットＭの長手方向に対して隙間のない状態で配置することができる。
【００５５】
つまり、第１の流体バッグ６と第２の流体バッグ７を寝装用マットＭの長手方向に対して交互に配置すると、第１の流体バッグ６の隣には第２の流体バッグ７が位置することになるから、複数の第１の流体バッグ６は所定間隔で配置され、同様に複数の第２の流体バッグ７も所定間隔で配置されることになる。
【００５６】
そのため、利用者の身体を左右にローリングさせるとき、利用者の上半身の幅方向一端側或いは他端側を、第１の流体バッグ６或いは第２の流体バッグ７によって身長方向にほぼ隙間なく押し上げるということができるから、そのことによって利用者の上半身を安定した状態で押し上げることができるということがある。つまり、安定した状態で、利用者に不快感を与えることなく、上半身をローリングさせることができる。
【００５７】
また、上記寝装用マットＭの内部には、利用者の上半身に対応する部分にだけ重合された第１、第２の流体バッグ６，７を設けるようにした。そのため、上記寝装用マットＭを背上げ式のベッド装置の床板、或いはマットレス上に載置して使用することができる。
【００５８】
つまり、床板を起上させる背上げ時に、床板の起上によって上記寝装用マットＭの第１、第２の流体バッグ６，７が設けられた部分が屈曲されることがないから、背上げ式のベッド装置に用いた場合であっても、利用者の上半身を安定した状態でローリングさせることが可能である。
【００５９】
図５と図６はこの発明の第２、第３の実施の形態を示す。すなわち、上記第１の実施の形態では、第１の流体バッグ６と第２の流体バッグ７の平面形状を台形状としたが、第１、第２の流体バッグ６Ａ，７Ａの平面形状は図５に示す第２の実施の形態のように先端が頂上となる三角形状、或いは図６に示す第３の実施の形態のように第１、第２の流体バッグ６Ｂ，７Ｂの平面形状は寝装用マットＭの幅方向に沿って長い長方形状であってもよい。なお、図５と図６において、図３と同一部分には同一記号を付して説明を省略する。
【００６０】
また、外装体１内にクッションシート３を設けるようにしたが、クッションシート３はなくても差し支えない。
【００６１】
また、重合された第１、第２の流体バッグ６，７を利用者の上半身に対応するよう外装体１内の長手方向の上半分にだけ設けるようにしたが、上記外装体１内の全長にわたって設けるようにしてもよい。
【符号の説明】
【００６２】
１…外装体、６…第１の流体バッグ、７…第２の流体バッグ、１１…センサ、１２…制御装置（制御手段）、１４…第１の供給チューブ、１５…第１の給排気切換え弁、１６…供給ポンプ、１７…第２の供給ポンプ、１８…第２の給排気切換え弁。
【図１】
2014121442.tif 000003
【図２】
2014121442.tif 000004
【図３】
2014121442.tif 000005
【図４】
2014121442.tif 000006
【図５】
2014121442.tif 000007
【図６】
2014121442.tif 000008